(57)【要約】      （修正有）【課題】間仕切りにおいて、発光する領域をユーザが自由に設定することができ、また、光を点灯させない状態において、仕切られる空間の開放感を損ねないようにする。【解決手段】間仕切り１は、透明なＥＬ素子２を透光板に複数設けたパネル体４と、前記ＥＬ素子２を個別に点灯制御する制御部５とを備える。この構成によれば、制御部５が、透光板３に複数設けられたＥＬ素子２を個別に点灯制御することができるので、発光する領域をユーザが自由に設定することができ、また、透明なＥＬ素子２を用いているので、光を点灯させない状態において、仕切られる空間の開放感を損ねない。【選択図】図６
2012012915.tif 000002
【特許請求の範囲】
【請求項１】
透明なＥＬ素子を透光板に複数設けたパネル体と、前記ＥＬ素子を個別に点灯制御する
制御部と、を備えることを特徴とする間仕切り。
【請求項２】
対面キッチンのバックボードとして用いられることを特徴とする請求項１に記載の間仕
切り。
【請求項３】
浴室と脱衣所との間に設けられることを特徴とする請求項１に記載の間仕切り。
【発明の詳細な説明】
【技術分野】
【０００１】
本発明は、室内空間を仕切るための間仕切りに関する。
【背景技術】
【０００２】
近年の住宅では、台所とダイニングルームとの間を内壁で区画することなく、台所内の
作業者とダイニングに居る人との間でコミュニケーションを取り易くした、いわゆる対面
式キッチンが一般に用いられている。しかしながら、台所のシンクにおいて、食材や食器
の水洗いをするときの水や、コンロでの調理時の油等がダイニング側へ跳ねたりすること
がある。そこで、台所とダイニングルームとの間にフロアキャビネットと吊り戸棚とを設
置し、フロアキャビネットの上方に、吊り戸棚から間仕切り部材を吊り下げて、水跳ねや
油跳ねを防止した対面型キッチンユニットが知られている。
【０００３】
また、導光板を間仕切り部材として用い、その上端面に光源を取り付けて導光体内に光
を入射させると共に、導光板の表面に形成された光散乱層から外部に光を放射させること
により、間仕切り部材を照明器具として機能させた技術が知られている（例えば、特許文
献１参照）。
【０００４】
【特許文献１】特開２００５−２０４７１４号公報
【発明の開示】
【発明が解決しようとする課題】
【０００５】
しかしながら、上記特許文献１に記載の間仕切り部材においては、光散乱層が形成され
た箇所のみが発光するので、ユーザが発光する領域を自由に設定することができない。ま
た、全面に光散乱層を形成された間仕切り部材は、いわゆる摩りガラス状になっており、
光源を点灯させない状態においては透明性が低く、台所とダイニングルームとの間におけ
る開放感を損ねてしまう。近年では、シンクやコンロを含むシステムキッチンの一部が、
壁面から離れて島型にレイアウトされた、いわゆるアイランド型キッチンが注目されてお
り、室内空間における開放感が特に重視されている。
【０００６】
本発明は、上記課題を解決するものであって、発光する領域をユーザが自由に設定する
ことができ、また、光を点灯させない状態において、仕切られる空間の開放感を損ねない
間仕切りを提供することを目的とする。
【課題を解決するための手段】
【０００７】
上記課題を解決するため、本発明は、間仕切りにおいて、透明なＥＬ素子を透光板に複
数設けたパネル体と、前記ＥＬ素子を個別に点灯制御する制御部と、を備えることを特徴
とする。
【０００８】
また、上記間仕切りは、対面キッチンのバックボードとして用いられることが好ましい
。
【０００９】
また、上記間仕切りは、浴室と脱衣所との間に設けられてもよい。
【発明の効果】
【００１０】
本発明の間仕切りによれば、透光板に複数設けられたＥＬ素子を個別に点灯制御するこ
とができるので、発光する領域をユーザが自由に設定することができ、また、透明なＥＬ
素子を用いているので、光を点灯させない状態において、仕切られる空間の開放感を損ね
ない。
【図面の簡単な説明】
【００１１】
【図１】本発明の一実施形態に係る間仕切りをキッチンボードとして用いた例を示す斜視図。
【図２】同間仕切りの一部分解斜視図。
【図３】同間仕切りに用いられるＥＬ素子が、複数のＥＬ素子（発光セル）を格子状に配置されて構成される例を示す斜視図。
【図４】同ＥＬ素子の概略構成を示す側断面図。
【図５】同間仕切りの点灯パターンを示す斜視図。
【図６】同間仕切りの点灯パターンを示す斜視図。
【図７】同間仕切りの点灯パターンを示す斜視図。
【図８】同間仕切りの点灯パターンを示す斜視図。
【図９】同間仕切りに用いられるパネル体の変形例を示す一部分解斜視図。
【図１０】同間仕切りの変形例であって、浴室と脱衣所との間に設けられた例を示す斜視図。
【発明を実施するための形態】
【００１２】
本発明の一の実施形態に係る間仕切りについて、図面を参照して説明する。本実施形態
の間仕切り１は、図１及び図２に示すように、透明なＥＬ素子２を透光板３に複数設けた
パネル体４と、ＥＬ素子２を個別に点灯制御する制御部５と、を備えたものである。なお
、ここでは、間仕切り１を、キッチンＫがリビングＬに面した対面キッチンのバックボー
ドとして用いた例に基づいて説明する。具体的には、間仕切り１は、アイランド型キッチ
ンユニットＦ１と吊り戸棚Ｆ２との間に設置される。また、制御部５は、パネル体４の下
端部に設けられたものとする。
【００１３】
パネル体４は、図２に示すように、複数個のＥＬ素子２が格子状に配置されており、対
向する２枚の透光板３（３ａ，３ｂ）に挟持された構成となっている。なお、図例では、
一方の透光板３の一部を切り欠いて表現している。各ＥＬ素子２は、個別に点灯制御され
るように、ＩＴＯ（酸化インジウムスズ：インジウムチンオキサイド）等の透明な配線１
２によって制御部５に接続されている。各ＥＬ素子２間の間隔は、絶縁性を確保できる範
囲において、なるべく狭く形成されることが望ましい。なお、この間隔に、例えば、光拡
散材を含有した絶縁性樹脂膜が設けられてもよい。
【００１４】
ＥＬ素子２は、無機ＥＬ素子であってもよいが、素子の平面化に適した有機ＥＬ素子が
好ましい。また、その形状は、５〜６００ｍｍ角、好ましくは５０〜１００ｍｍの略正方
形形状の平面パネル体である。一つのＥＬ素子２が、単体の発光パネルを構成していても
よいし、例えば、図３に示すように、１０ｍｍ角のＥＬ素子２ｃ（発光セル）を格子状に
１００個設けることによって一つの発光パネルを構成するものであってもよい。後者の場
合、セル単位で点灯制御されるように透明な配線のパターンニングが施されることが望ま
しい。また、その場合の駆動方式は、アクティブ型、パッシブ型のいずれであってもよい
。
【００１５】
また、ＥＬ素子２は、図４に示すように、透光性を有する基板２２上に、発光部２３を
形成し、その外側を封止材２４で被覆したものである。なお、ここでは、ＥＬ素子２が単
体の発光パネルとして構成されている例を示すが、上述した図３のような複数のＥＬ素子
２ｃにおいても、発光部のサイズや配線のパターンニング等の相違点を除き、基本的な構
成は同じである。発光部２３は、透明導電膜から成る陽極２３ａ、発光機能を有する発光
層２３ｂ、透光性を有する陰極２３ｃを、順に基板２２上に積層形成したものである。封
止材２４は、透明な材料から構成され、各電極の一部が露出するように被覆され、これら
電極の露出部は、直接又はリード線等を介して電極端子（不図示）に電気的に接続される
。
【００１６】
基板２２は、ソーダライムガラスや無アルカリガラス等の透光性ガラスや、透光性樹脂
材料等から成り、矩形板状に形成される。なお、間仕切り１を構成する透光板３ａ（図２
参照）上に発光部２３等を形成してもよく、この場合、この透光板３が実質的な基板２２
ということになる。
【００１７】
陽極２３ａは、発光層２３ｂにホールを注入するための電極であり、仕事関数の大きい
金属、合金、導電性化合物又はこれらの混合物から成る電極材料が用いられ、好ましくは
、仕事関数が４ｅＶ以上のものが用いられる。特に、ＩＴＯ、ＳｎＯ２（酸化スズ）、Ｚ
ｎＯ（酸化亜鉛）等の透光性の導電材料が好ましい。陽極２３ａは、これらの電極材料を
、基板２２の表面に、例えば、真空蒸着法やスパッタリング法等の方法により成膜及びパ
ターニングすることによって形成される。
【００１８】
発光層２３ｂは、所望の白色光を発光させ得る有機蛍光材料が用いられ、例えば、アン
トラセン、ナフタレン、ピレン、テトラセン、コロネン、ペリレン、フタロペリレン、ナ
フタロペリレン、ジフェニルブタジエン、テトラフェニルブタジエン、クマリン、オキサ
ジアゾール、ビスベンゾキサゾリン、ビススチリル、シクロペンタジエン、キノリン金属
錯体、トリス（８−ヒドロキシキノリナート）アルミニウム錯体、トリス（４−メチル−
８−キノリナート）アルミニウム錯体、トリス（５−フェニル−８−キノリナート）アル
ミニウム錯体、アミノキノリン金属錯体、ベンゾキノリン金属錯体、トリ−（ｐ−ターフ
ェニル−４−イル）アミン、１−アリール−２，５−ジ（２−チエニル）ピロール誘導体
、ピラン、キナクリドン、ルブレン、ジスチルベンゼン誘導体、ジスチルアリーレン誘導
体、及びこれらの発光性化合物から成る基を分子構造の一部に有する化合物、高分子材料
、各種蛍光色素の混合材料等が用いられる。なお、図３に示したような複数のＥＬ素子２
ｃによって発光パネルが構成される場合、各ＥＬ素子２ｃがＲＧＢの異なる発光色となる
ように、適宜に蛍光体が選択されることが望ましい。
【００１９】
発光層２３ｂは、陽極２３ａの表面に上述した化合物を、例えば、真空蒸着法により成
膜及びパターニングすることによって形成される。なお、発光層２３ｂは、複数の異なる
材料が積層されたものであってもよく、これら複数層の間に電位を調整するためのバッフ
ァ層を介在させてもよい。
【００２０】
陰極２３ｃは、発光層２３ｂに電子を注入するための電極であり、陽極２３ａと同様に
、ＩＴＯ、ＳｎＯ２、ＺｎＯ等の透光性の導電材料によって形成される。また、陰極２３
ｃも陽極２３ａと同様の方法により形成される。なお、陽極２３ａ及び発光層２３ｂの間
には、陽極２３ａから発光層２３ｂへのホール注入効果を促進するホール注入・輸送層（
不図示）が設けられてもよい。また、発光層２３ｂ及び陰極２３ｃの間には、好ましくは
、陰極２３ｃから発光層２３ｂへの電子注入効果を促進する電子注入・輸送層（図示せず
）が設けられる。
【００２１】
このように構成されたＥＬ素子２においては、電極端子を介して所定の電力が供給され
ることにより、発光層２３ｂが発光する。発光した光は、陽極２３ａ及び陰極２３ｃを透
過してＥＬ素子２外へ取り出され、パネル体４の両面から出射する。なお、ＥＬ素子２の
発光面には、基板２２を傷や汚れ等から保護するため、アクリル樹脂等から成る保護層や
、基板２２からの光取り出し効率を高めるための拡散層等が、透明性を損じない程度に設
けられてもよい（不図示）。
【００２２】
制御部５は、ユーザの操作によるＥＬ素子２の点灯制御内容を入力するための操作部や
、各ＥＬ素子２に個別のアドレスを割り宛て、そのアドレスを記憶すると共に、ＥＬ素子
２の点灯パターン等を記憶する記憶部や、各ＥＬ素子２を点灯駆動させる駆動回路や、所
定のアドレスが設定されたＥＬ素子２を所定の点灯パターンに基づいて点灯させるための
出力値を決定し、それを駆動回路に実行させる演算部等を備える。
【００２３】
次に、本実施形態の間仕切り１を、対面キッチンのバックボードとして用いたときの作
動例を説明する。間仕切り１に用いられる全てのＥＬ素子２を消灯させた状態において、
間仕切り１は、上述の図１に示したように、透明なバックボードとして存在し、キッチン
Ｋ及びリビングＬ間の開放感を損ねることがない。また、例えば、リビングＬに来客者Ｍ
１が居るときは、図５に示すように、間仕切り１に用いられる全てのＥＬ素子２を点灯さ
せる。そうすると、間仕切り１の全体が光り、来客者Ｍ１にはあまり見られたくないキッ
チンＫ回りを効果的に隠すことができる。また、この場合、間仕切り１の広い面積を発光
させるので、キッチンＫ及びリビングＬを明るく照らすことができ、間仕切り１を照明器
具として機能させることができる。
【００２４】
また、間仕切り１は、複数のＥＬ素子２を個別に点灯制御できるように構成されている
ので、来客中に居住者Ｍ２がキッチンＫで台所作業をしようとするときは、図６に示すよ
うに、間仕切り１の下方にあるＥＬ素子２を点灯させることができる。このとき、上方の
ＥＬ素子２は点灯していないので、この箇所は透明なままである。こうすれば、キッチン
Ｋにいる居住者Ｍ２は、来客者Ｍ１の顔を見ることができ、お互いのコミュニケーション
が取りや易くなると共に、コンロ回りといった特定の箇所を来客者Ｍ１から効果的に隠す
ことができる。
【００２５】
また、上述した複数のＥＬ素子２ｃ（図３参照）で発光パネルを構成し、それらを個別
に点灯制御すれば、より細かな演出が可能となり、間仕切り１の表面に、例えば、図７に
示すような模様等を表示することができる。こうすれば、間仕切り１は、空間を仕切るだ
けでなく、空間の雰囲気を演出することができる。また、この模様が経時的に変化するよ
うに、ＥＬ素子２を点灯制御することもでき、例えば、模様の変化によって居住者Ｍ２が
時間を計ることができるタイマとして機能させてもよい。また、間仕切り１の表面に文字
や図形を表示することもできる。こうすれば、例えば、図８に示すように、間仕切り１を
伝言板として機能させることができる。なお、この例では、帰宅した子供Ｍ３にメールが
ある旨を伝言するケースを描いている。
【００２６】
これらの点灯パターンは、制御部５の記憶部に記憶されており、また制御部５の操作部
を操作することにより、居住者は間仕切り１の任意の箇所のＥＬ素子２を点灯又は消灯さ
せることができる。また、好ましくは、制御部５には、外部入出力端子（図示せず）が設
けられ、パソコン等の外部操作端末に接続可能とされる。すなわち、居住者はパソコンを
操作しながら、間仕切り１の点灯パターンや点灯時間等を設定することができる。
【００２７】
このように構成された間仕切り１は、透光板３に複数設けられたＥＬ素子２を個別に点
灯制御することができるので、発光する領域を居住者（ユーザ）が自由に設定することが
でき、また、透明なＥＬ素子２を用いているので、光を点灯させない状態において、仕切
られる空間の開放感を損ねない。しかも、間仕切り１は、ＥＬ素子２の点灯パターンによ
って、単なる空間を仕切る間仕切りとしての機能だけでなく、照明器具、空間演出、タイ
マ又は伝言板といった各種機能を実現するマルチメディア機器として機能させることがで
きる。
【００２８】
次に、本実施形態の間仕切りにおけるパネル体４の変形例について、図９を参照して説
明する。この変形例では、ＥＬ素子２の基板に柔軟性を有する樹脂シート２５を用い、こ
の樹脂シート２５上に、所定寸法の発光部２３及び封止材２４（図４参照）を、複数個設
けて、いわゆるフレキシブルＥＬ素子シート２６を作成する。このフレキシブルＥＬ素子
シート２６を透光板３に貼着させて、これをパネル体４としてもよい。こうすれば、既存
の透光性のバックボードに、本実施形態の間仕切り１と同様の機能を持たせることができ
る。なお、変形例に係るパネル体４は、ＥＬ素子２を傷や熱等によるダメージから保護す
るため、フレキシブルＥＬ素子シート２６の表面に保護シート（不図示）が設けられる。
また、間仕切り１がキッチンもバックボードとして用いられる際には、好ましくは、フレ
キシブルＥＬ素子シート２６及び保護シート（不図示）が設けられた面が、リビングＬ側
に配置されることが望ましい。
【００２９】
次に、本実施形態の変形例に係る間仕切りについて、図１０を参照して説明する。この
変形例に係る間仕切り１は、浴室Ｂと脱衣所Ｄとの間に設けられるものである。上述した
キッチンボードに用いた例とは、パネル体４（図２参照）の大きさや形状等を除き、基本
的な構成は、上述のものと同様である。
【００３０】
近年では、バス周りにおいても開放感のあるものが注目されており、浴室と脱衣所との
間に設けられる仕切りに、ガラスやアクリル板といった透明板を用いたシステムバスが提
案されている。しかし、そのことに恥ずかしさを感じる人も多く、例えば家族間で意見が
分かれ、なかなか導入に踏み込めないケースがある。しかし、この変形例に係る間仕切り
１においては、ＥＬ素子２を消灯させれば、入浴者は浴室Ｂの開放感を満喫することがで
きる。一方、ＥＬ素子２を点灯させれば、脱衣所Ｄから浴室Ｂ内が見えなくなり、入浴者
のプライバシーを守ることができる。このとき、間仕切り１の広い面積を発光させるので
、浴室Ｂ及び脱衣所Ｄを明るく照らすことができ、間仕切り１を照明器具として機能させ
ることができる。
【００３１】
また、図示を省略しているが、例えば、間仕切り１の下方にあるＥＬ素子２を点灯させ
て、上方のＥＬ素子２を消灯させてもよい。こうすれば、浴室Ｂ内の入浴者のプライバシ
ーを守ることができ、しかも入浴者は脱衣所Ｄの状態を把握することができる。また、こ
れとは逆に、間仕切り１の下方にあるＥＬ素子２を消灯させて、上方のＥＬ素子２を点灯
させてもよい。こうすれば、入浴者は浴室Ｂの開放感を満喫することができると共に、浴
室Ｂ内を明るくすることができる。更に、間仕切り１の表面に、文字や図形、模様用を表
示してもよく、図１０に示すように、間仕切り１の表面に時刻が表示されるようにしても
よい。
【００３２】
なお、本発明は、上述の実施形態に限られることなく種々の変形が可能である。例えば
、上述した本実施形態では、格子状に配置された複数のＥＬ素子２を個別にオンオフ制御
して、間仕切り１全体における発光面積を変化させる例を示したが、制御部５が複数のＥ
Ｌ素子２の夫々の調光出力を制御するようにしてもよい。また、赤色、青色、黄色の３色
を発光可能なＥＬ素子２を用い、制御部５が、これらの発光色を組み合わせて点灯制御す
ることにより、例えば、様々なシチュエーションに応じて室内空間の演色性を変化させる
ようにしてもよい。
【符号の説明】
【００３３】
１    間仕切り
２    ＥＬ素子
３    透光板
３ａ    透光板
３ｂ    透光板
４    パネル体
５    制御部
Ｋ    キッチン
Ｂ    浴室
Ｄ    脱衣所
【図１】
2012012915.tif 000003
【図２】
2012012915.tif 000004
【図３】
2012012915.tif 000005
【図４】
2012012915.tif 000006
【図５】
2012012915.tif 000007
【図６】
2012012915.tif 000008
【図７】
2012012915.tif 000009
【図８】
2012012915.tif 000010
【図９】
2012012915.tif 000011
【図１０】
2012012915.tif 000012